(57)【要約】【課題】身体にフィットし、しかも脚開口部の後部の臀部下部への食い込みが生じないショーツを提供すること。【解決手段】前身頃と、後身頃と、前記前身頃と前記後身頃との間に位置する股下部と、前記前身頃の上縁部と前記後身頃の上縁部とで形成された胴回り部と、前記前身頃の両側縁と後身頃の両側縁との接合部の下に形成される一対の脚開口部と、を有するショーツにおいて、前記前身頃は、前記胴回り部から前記股下部に向けて幅寸法が徐々に短くなるように形成されており、前記後身頃は、前記胴回り部と前記股下部との間で球体状に拡張可能に、たるみを持たせて形成されている。後身頃がたるみを持たせて形成されているため、臀部に対する圧迫がなく人体にフィットし、ショーツの股下をはじめとする各部が人体に対してずれることがない。【選択図】図１
2013147779.tif 000002
【特許請求の範囲】
【請求項１】
前身頃と、後身頃と、前記前身頃と前記後身頃との間に位置する股下部と、前記前身頃の上縁部と前記後身頃の上縁部とで形成された胴回り部と、前記前身頃の両側縁と後身頃の両側縁との接合部の下に形成される一対の脚開口部と、を有するショーツにおいて、
前記前身頃は、前記胴回り部から前記股下部に向けて幅寸法が徐々に短くなるようにハイカット形状に形成されており、前記後身頃は、前記胴回り部と前記股下部との間で臀部に沿って球体状に拡張可能に、且つたるみを持たせて形成されていることを特徴とするショーツ。
【請求項２】
前記脚開口部はレース編みにより形成されていることを特徴とする請求項１記載のショーツ。
【請求項３】
前身頃と後身頃の間の布面積の比は、
前身頃：後身頃＝１：２
或いはそれ以上であり、また、
前身頃のハイカット形状は、正面から見て、逆三角形状をなし、且つこの逆三角形状の頂点の角度が２０〜３０度である、
ことを特徴とする請求項１または２記載のショーツ。
【発明の詳細な説明】
【技術分野】
【０００１】  本発明は、ショーツ、特に身体にフィットし、ショーツの布地と身体との間でずれが生じないショーツに関するものである。
【背景技術】
【０００２】  従来からあるショーツとしては、例えば図３に示されたものがある。このショーツ１は、前身頃２も後身頃３も平布状に形成されたものを上記前身頃２の両側縁と後身頃３の両側縁、及び下側の股下部４を接合したり縫い合わせたりすることにより胴周部５と、脚開口部６とが形成された構成になっている。このようにして製作されたショーツは、前身頃２と後身頃３との間であまり大きさに差がなく、後身頃３に充分なたるみなどの余裕を持たせることがない（すなわち、立体感がない）構造をとっている。それは、例えば図３に示すように商品として陳列するときに、見た目も良いためという理由から来ており、ショーツの形の主流となっている。
【発明の概要】
【発明が解決しようとする課題】
【０００３】  しかしながら、このようなショーツ１は、着用したときに前身頃２に比べて後身頃３による圧迫が強く脚開口部６の後部（後身頃３側）が臀部に食い込んで履き心地が悪いという問題がある。すなわち、後身頃３に余裕がないため、ショーツ１を履いたとき、図４に示されているように、臀部の丸みによって後身頃３が後方及び後ろ上方へ引っ張られてしまい、それにつれて、前身頃２が股下部４とともに後ろへずれてしまう。図４において、点線で示されたショーツ１の構成は使用していないときの構成を示し、実線で示されたショーツ１の構成は使用しているいときの、引張りを受けてずれた構成を示す。胴周部５の前部５ａもまた、ずり下がることがわかる。また、この脚開口部６の後部の臀部への食い込みが外装のパンツのしわとなって現れ、見た目が悪いという問題もある。さらに、脚開口部６の前側部分においては、この脚開口部６に取り付けられたゴムが脚の付け根を固く締め付け、痛みを与えたり、着用者にストレスを感じさせたりすることがある。さらに、上述のようにゴムが脚の付け根を固く締め付けると、この部分を通るリンパの部分を締め付けるので、血行が悪くなり冷え、むくみの原因になるなどの問題がある。【０００４】  本発明は、上述のような不具合を解決するためになされたものであり、その目的は、身体に自然にフィットし、しかも股関節から後方へかけて締め付けが起こらないようにし、脚開口部の後部の臀部下部への食い込みが生じず、健康上にも良いショーツを提供することである。
【課題を解決するための手段】
【０００５】  本発明は、上記目的を達成するため、前身頃と、後身頃と、前記前身頃と前記後身頃との間に位置する股下部と、前記前身頃の上縁部と前記後身頃の上縁部とで形成された胴回り部と、前記前身頃の両側縁と後身頃の両側縁との接合部の下に形成される一対の脚開口部と、を有するショーツにおいて、前記前身頃は、前記胴回り部から前記股下部に向けて幅寸法が徐々に短くなるように形成されており、前記後身頃は、前記胴回り部と前記股下部との間で臀部に沿って球体状に拡張可能に、且つたるみを持たせて形成されていることを特徴とする。【０００６】  また、本発明において、前記脚開口部はレース編みにより形成されていることを特徴とする。
【発明の効果】
【０００７】  以上説明したように、本発明のショーツは、後身頃が前記胴回り部と前記股下部との間で球体状に拡張可能に、たるみを持たせて形成されているため、股関節や臀部に対する圧迫がなく人体にフィットする。これにより、ショーツの股下をはじめとする各部が人体に対してずれることがなく、股下部も正しい位置になる。
【図面の簡単な説明】
【０００８】
【図１】本発明の一実施の形態として示すショーツの正面図である。
【図２】上記実施の形態によるショーツの着用状態を示す背面図である。
【図３】従来のショーツの一例を示す正面図である。
【図４】上記従来のショーツの着用状態を示す背面図である。
【発明を実施するための形態】
【０００９】    以下、本発明の実施の形態について、図１から図３を用いて説明する。図１に本発明の第１の実施の形態を示している。図１において、符号１１は本実施の形態に係るショーツを示す。このショーツ１１は、前身頃１２と、後身頃１３と、ショーツ１１の下部において前身頃１２と後身頃１３との間に位置し且つこれら前身頃１２と後身頃１３とを繋ぎ合わせる股下部１４と、前身頃１２の上縁部と後身頃１３の上縁部とで形成された胴回り部１５と、前身頃１２の両側縁と後身頃１３の両側縁とを結合させることにより形成される一対の脚開口部１６とを有する。このショーツ１１において、前身頃１２は、胴回り部１５から股下部１４に向けて幅寸法が徐々に短くなるよう、ハイカット形状に形成されている。他方、後身頃１３は、胴回り部１５と股下部１４との間で球体状に拡張可能に、たるみを持たせて形成されている。この明細書において、「球体状に拡張」とは、通常時、すなわち不使用時はたるみを持たせた状態である上に、使用時は臀部の形状（丸み、すなわち、球体状）に合うように、且つこの臀部を包み込むように広げられ得ること、或いは概略袋形状であることを意味する。
【００１０】  上述のような構成を採るために、前身頃１２と後身頃１３の間の布面積の比は、例えば、
前身頃：後身頃＝１：２
或いはそれ以上（例えば、前身頃：後身頃＝１：２．５など）であることが好ましい。また、前身頃１２のハイカット形状については、ショーツの正面から見て、逆三角形状をなし、且つこの逆三角形状の頂点（最下部に当たる）の角度が２０〜６０度であることが股関節や臀部に対する圧迫をなくするのに好適である。
【００１２】  また、本実施の形態に係るショーツ１１においては、脚開口部１６にはゴムを設ける代わりにレースをあしらって弾性のある、或いは締め付けない縫い合わせを生じさせている。なお、ショーツ１１の素材としては、特に限定はされないが、木綿などのナチュラルな素材が好ましい。
【００１３】  本実施の形態に係るショーツ１１を着用したとき、前身頃１２は、ハイカット形状に形成されており、また脚開口部１６にはレースをあしらっているため、人体の股前側部分を締付けることはなく動きやすい。また人体の股前側部分にあるリンパに負担がかからず、健康の上でも好適である。また、後身頃１３は、胴回り部１５と股下部１４との間で球体状に拡張可能に、たるみを持たせて形成されているため、ショーツ１１を履いたとき、図２に示されているように、後身頃１３が臀部の形状に合うように拡張されるから、臀部が完全に後身頃１３に包み込まれる。後身頃１３は、上述のように臀部を完全に包み込んだ上で、さらにまだ余裕がある程度のたるみを有していてもよい。このように、臀部を完全に包み込んだ上で、さらにまだ余裕がある程度のたるみを有している場合は、女性用のショーツ１１であっても、あたかも男性が着用する「褌（ふんどし）」のような構成、機能を発揮し、履き心地はすこぶる良好である。
【００１４】  これにより、ショーツ１１は人体に良好にフィットし、履き心地のよう感触を使用者に与える。また、ショーツ１１を履いたとき、前身頃１２及び股下部１４が後身頃１３側にずれたりすることはないため、人体を傷付けることはなく、衛生上でも好適である。
【産業上の利用可能性】
【００１５】  本発明によるショーツは、後身頃が前記胴回り部と前記股下部との間で球体状に拡張可能に、たるみを持たせて形成されている。これにより、臀部に対する圧迫がなく人体にフィットする。これにより、ショーツの股下をはじめとする各部が人体に対してずれることがなく有用である。
【符号の説明】
【００１６】１１  ショーツ
１２  前身頃
１３  後身頃
１４  股下部
１５  胴回り部
１６  脚開口部
【図１】
2013147779.tif 000003
【図２】
2013147779.tif 000004
【図３】
2013147779.tif 000005
【図４】
2013147779.tif 000006